(57)【特許請求の範囲】
【請求項１】
平均分子量が１万〜３０万のポリエチレンオキサイドを５％含む熱可塑性樹脂からなる吸水層と、吸水性樹脂を含まない熱可塑性樹脂からなる非吸水層の２層からなる農業用フィルムであって、前記非吸水層にのみ防霧剤と防滴剤とが含まれており、且つ前記吸水層と前記非吸水層の厚みの比率が１０：１〜３：１の範囲であることを特徴とする農業用フィルム。
【請求項２】
ハウス栽培又はトンネル栽培に使用するに際し、請求項１記載の農業用フィルムを吸水層を外側にして用いることを特徴とする農業用フィルムの使用方法。
【請求項３】
マルチ栽培に使用するに際し、請求項１記載の農業用フィルムを吸水層を内側にして使用することを特徴とする農業用フィルムの使用方法。
【発明の詳細な説明】
【０００１】
【発明の属する技術分野】
本発明はハウス栽培，トンネル栽培，マルチ栽培等に用いられる農業用フィルムに関するものである。
【０００２】
【従来の技術】
農業用のフィルムとしては従来より塩化ビニルが多く用いられていたが、塩化ビニルは高価で加工が困難であり、更には焼却しにくく廃棄が環境問題となっている。そこで、近年ではこのような問題点のある塩化ビニルに代わってポリオレフィン系樹脂を用いたフィルムが主流となっている。
【０００３】
農業用のフィルムとしては、透明性、保温性が優れていることと共に、防滴性そして防霧性が優れていることが望まれる。防滴性はハウス等に張られたフィルムの内側に水蒸気が結露して栽培物の花や葉等の上に滴下するのを防止するために要求される性能であり、防霧性はフィルムの内外における温度差が大きくなる朝夕や降雨時等に水蒸気が霧となってハウス内に満たされハウスやトンネル内の栽培物が濡れることを防止するために要求される性能である。このような性能が求められるのは、結露の滴下や霧による濡れは栽培物の損傷や病害の原因となるからである。
【０００４】
近年では良好な防滴性を得るためにフィルムに界面活性剤を含有させる手段がとられている。そして、霧の発生を防止するために、防霧剤といわれる撥水剤をフィルムに含有させる手段が提案されている（特公昭59-35573号等がある）。
【０００５】
又、優れた保温性を得るためにはフィルム中に吸水性樹脂を含有させておくことが有効である。吸水性樹脂を含んだ熱可塑性樹脂のフィルムは、吸水してフィルム内部にミクロ含水ゲルを形成し、このミクロ含水ゲルは光を拡散させると共に特定波長の赤外線を吸収するからである。
【０００６】
しかしながら、フィルムに吸水性樹脂を含有させる場合、吸水するとフィルムの強度が小さくなり、十分な強度と吸水性を得ようとすると透明性が悪くなり易く、作物の生産性に悪影響を与えることになる。
【０００７】
更に、吸水性樹脂を含んだフィルムをトンネル栽培，マルチ栽培等に使用した場合、一旦吸収した内部の水分を外気に放出し、トンネル等の内側（すなわち、栽培空間と栽培土）が過度に乾燥してしまうことがある。そのため、栽培物への水分が欠乏して育成に支障をきたしたり、水やりの手間が大きくなる。
【０００８】
【発明が解決しようとする課題】
そこで、透明性，保温性と共に防霧性，無滴性を兼ね備えた農業用フイルムを提供することが課題となる。また、そのような農業用フイルムをハウス栽培やマルチ栽培等に有効に適用する使用方法を提供することも課題となる。
【０００９】
【課題を解決するための手段】
本発明の農業用フイルム(A)は、平均分子量が１万〜３０万のポリエチレンオキサイドを５％含む熱可塑性樹脂からなる吸水層(1)と、吸水性樹脂を含まない熱可塑性樹脂からなる非吸水層(2)の２層からなる農業用フィルムであって、前記非吸水層(2)にのみ防霧剤と防滴剤とが含まれており、且つ前記吸水層(1)と前記非吸水層(2)の厚みの比率が１０：１〜３：１の範囲であることを特徴とする。
【００１０】
また、本発明の農業用フイルムの使用方法は、上記の農業用フイルムを用いる場合に、ハウス栽培又はトンネル栽培の際にはフィルムの吸水層(1)を外側にして使用し、マルチ栽培の際にはフィルムの吸水層(1)を内側にして使用することを特徴とする。
【００１１】
【発明の実施の形態】
以下、本発明を好適な実施例を用いて説明する。
［実施例１］図１は本発明の農業用フイルム(A)の拡大断面図である。図中(1)は吸水性樹脂であるポリエチレンオキサイドを含む熱可塑性樹脂からなる吸水層であり、(2)はポリエチレンオキサイド等の吸水性樹脂を含まない熱可塑性樹脂からなる非吸水層ある。両者は多層インフレーション法により積層され２層のフィルムとして成形されている。
【００１２】
ポリエチレンオキサイドとしては平均分子量は１万〜３０万のものを用いている。これは分子量の大きな高吸水性樹脂を含有させると製膜時にフィルムにフィッシュアイが生じ易いだけでなく、フィルムの透明度が著しく低下し光の透過性が悪くなり植物の成育に支障が生じるからである。尚、このポリエチレンオキサイドの含有量としては５％程度が好ましい。
【００１３】
熱可塑性樹性樹脂としてはポリオレフィン系の樹脂を用いた。フィルムの厚さは用途により異なる（例えばハウスの内張り用として用いる場合は５０〜７０μｍ）が、通常は２０〜１５０μｍ程度が好ましい。吸水層と非吸水層の厚みの比率も用途により適宜変えればよいが、１０：１〜３：１程度が一般的である。
【００１４】
非吸水層(2)には防滴剤と防霧剤が含まれている。ここに、防霧剤としては公知の防霧剤を使用することができるが、本実施例ではフッ素系界面活性剤を用いた。防霧剤の含有量は２〜５％（好ましくは２〜３％）程度が望ましい。又、防滴剤としても公知の界面活性剤例えばソルビタン脂肪酸エステル，グリセリン脂肪酸エステル，トリエタノールアミン脂肪酸エステル，ポリエチレングリコール脂肪酸エステル等を使用することができる。尚、この非吸水層(2)には保温性を付与させてもよい。
【００１５】
［実施例２（ハウス栽培使用例）］
本実施例は、実施例１の農業用フイルムをハウス栽培に用いた使用例である。図２に示すように、フィルム(A)は吸水層(1)が外側になるようにハウスのフレーム(3)に張られている。
【００１６】
外側の吸水層(1)により保温効果が得られる。そして、非吸水層(2)がハウスの内側に面しているため、防霧剤の働きにより水蒸気がハウス内で霧となるのを防止する。又、防滴剤としての界面活性剤の働きにより結露水が栽培物(4)に滴下するのが防止されるので、水分はフィルム(A)の内側に沿って地面(5)に流れ落ちる。したがって、栽培物(4)に悪影響を与えない。
【００１７】
尚、本実施例ではハウスのフレーム(3)に直接本発明のフィルム(A)を張る１重構造としたが、ハウスのフレーム(3)に塩ビ等のフィルムを張り、その内側に本発明の農業用フイルム(A)を内張りとして吊り下げる等してフィルムを２重（又は多重）に配する構造としてもよい。
【００１８】
トンネル栽培の場合も、フィルム(A)と栽培物(4)や地面(5)との間に空間がある点でハウス栽培の場合と共通するので、本実施例と同様に吸水層(1)が外側になるようにフィルム(A)を張るとよい。
【００１９】
［実施例３（マルチ栽培使用例）］
本実施例は、実施例１の農業用フイルム(A)をマルチ栽培に用いた使用例である。図３に示すように、フィルム(A)は吸水層(1)が内側（地面と接する側）になるように配されている。
【００２０】
マルチ栽培の場合は、盛り上がった栽培土(5)に栽培物(4)が植えられており、盛り上がった栽培土(5)はフィルム(A)に覆われている。栽培物(4)はフィルム(A)を貫通して、外気に接している。
【００２１】
吸水層(1)が内側になるように配されているため、栽培土(5)の水分は外気に放散されずに吸水層(1)で保持される。よって、栽培土(5)の過度な乾燥を防止することができ、水やりの手間も少なくなる。
【００２２】
ハウス栽培の場合（実施例２）と異なり、フィルム(1)が空間を介さず栽培土(5)を直接覆っているため、栽培物(4)への結露水の滴下や霧の発生を考慮する必要はない。
【００２３】
［比較試験］
厚みが５０μｍの実施例１のフィルムと、同じ吸水層のみからなる（すなわち非吸水層(2)のない単層の）厚みが５０μｍの比較のためのフィルムとを用いてレタス栽培用のハウスを作り、その他の条件は同じとしてレタスの成育状態を観察した。尚、実施例のフィルムを用いたハウスにおいては、実施例２のよう吸水層が外側になるようにして用いた。
【００２４】
比較のための単層フィルムを用いたハウスでは早朝等にハウス内に霧が充満していたが、実施例のフィルムを用いたハウスでは、内部に霧が発生することはなく、フィルムの内側に付着した結露水は下方のレタスに滴下することなくフィルムに沿って次々と下方に流れ落ちて行った。又、成育の速度も実施例のフィルムを用いたハウスの方が、単層フィルムを用いたハウスよりも３割程度成育が早かった。すなわち本発明のフィルムを用いることにより、水滴の滴下や霧の発生による栽培物の病害を防止できるだけでなく、栽培期間の短縮による効率のよい栽培が可能となる。
【００２５】
【発明の効果】
本発明により保温性と共に防霧性，無滴性を兼ね備えた農業用フイルムを提供することができた。更には、そのような農業用フイルムをハウス栽培やマルチ栽培等に有効に適用する使用方法を提供することができた。
【図面の簡単な説明】
【図１】本発明の農業用フィルムの拡大断面図。
【図２】本発明の農業用フィルムをハウス栽培に用いた例を示した図。
【図３】本発明の農業用フィルムをマルチ栽培に用いた例を示した図。
【符号の説明】
(A)    農業用フィルム
(1)    吸水層
(2)    非吸水層
(3)    ハウスのフレーム
(4)    栽培物
(5)    地面（栽培土）
【図１】
0003802646.tif 000002
【図２】
0003802646.tif 000003
【図３】
0003802646.tif 000004